(57)【要約】【課題】断熱箱体の天面に天板を配設した冷蔵庫において、ドアの大形化やドアポケットの収納容量拡大等の重量増に対応することができるドアヒンジを提供する。【解決手段】断熱箱体２と、断熱箱体２の天面に取り付けられる天板と、を有するキャビネットの前面に対向して軸受けを有するドアを取り付け、断熱箱体２の天面に取り付けられる固定部分と、固定部分から延設され軸受と嵌合する開口部を有する突出部１４ａとを有し、軸受と軸を介して断熱箱体とドアを回転自在に接続するドアヒンジ１４を設け、突出部１４ａの周縁に略Ｌ字型フランジ１４ｃを立設した。【選択図】図２
2009103395.tif 000002
【特許請求の範囲】
【請求項１】
断熱箱体とこの断熱箱体の天面に取り付けられる天板とを有するキャビネットと、
このキャビネットの前面に対向して取り付けられ、軸受を有するドアと、
前記軸受けとこの軸受に挿入される軸を介して前記断熱箱体と前記ドアを回転自在に接続するドアヒンジと、を備え、
前記ドアヒンジは、前記断熱箱体の天面に取り付けられる固定部分と、この固定部分から延設される板状の突出部と、を備え、
前記突出部は、前記ドアの軸受けと嵌合する開口部を有し、
前記突出部の周縁にフランジを立設したことを特徴とする冷蔵庫。
【請求項２】
前記突出部の板面に垂直方向に一方の面が凸部で他方の面が凹部となる絞り形状を設けたことを特徴とする請求項１記載の冷蔵庫。
【請求項３】
前記軸の長さを前記軸受の長さ以上にしたことを特徴とする請求項１または請求項２に記載の冷蔵庫。
【請求項４】
前記軸受はポリアミド系の材料で構成されることを特徴とする請求項１〜３のいずれかに記載の冷蔵庫。
【請求項５】
前記ドアヒンジの上方を覆うカバーと、
前記ドアと前記断熱箱体とを接続するリード線と、を備え、
前記軸は、中空部を有し、
前記リード線は、前記軸の中空部に挿入され、前記カバーによって覆われることを特徴とする請求項１〜４のいずれかに記載の冷蔵庫。
【発明の詳細な説明】
【技術分野】
【０００１】
この発明は、冷蔵庫のドアヒンジ、及びドアヒンジの周辺構造に関するものである。
【背景技術】
【０００２】
従来の冷蔵庫のドアは、ドアの上部の曲面部３９の裏面空間にドアヒンジ２８と対向する側端位置に略Ｌ字型の仕切壁４０が設けられ、ドアヒンジ収納部４１が形成されている。このドアヒンジ収納部４１にはドアヒンジ２８の突出部３０が収納され、略Ｌ字型の仕切壁４０の下辺壁に取り付けた軸受け部３４に突出部３０の先端近傍の軸３２を嵌挿してドアを回転自在に支持するよう構成されている。また、ドアヒンジ収納部４１にはドア裏面より覆う覆板４４があり、ドアヒンジ２８の突出部３０がドア開閉により出入りするための切り欠き部４５が設けられている。なお、ドアヒンジ２８は鋼板と断熱材で形成された断熱箱体の天面にネジで固定され、断熱箱体の天面に取り付けた天板にカバーされている。
【０００３】
【特許文献１】特開２００１−１１６４３１号公報（１０頁、第８図）
【発明の開示】
【発明が解決しようとする課題】
【０００４】
従来の冷蔵庫のドアは以上のように構成されているため、ドアヒンジ収納部の大きさによりドアヒンジの形状、及び軸の長さが決まり、ドアヒンジ収納部の大きさも天板の高さ分しか取れないため、必然的にドアヒンジ収納部の大きさが限られてしまう。このため、ドア下がりやドア落下に対しドアヒンジの形状変更による強度ＵＰや軸の長さを伸ばす等の補強をすることができず、ドアの大形化やドアポケットの収納容量拡大等の重量増に対応することができなかった。
【０００５】
この発明は、上記のような課題を解決するためになされたもので、ドアの大形化やドアポケットの収納容量拡大等の重量増に対応することができるドアヒンジを提供することを目的とする。
【０００６】
また、ドアヒンジの軸にリード線を通すことにより、ドアに温度調節部を配設した操作性に優れた冷蔵庫を提供するものである。
【課題を解決するための手段】
【０００７】
この発明に係る冷蔵庫は、断熱箱体と断熱箱体の天面に取り付けられる天板とを有するキャビネットと、キャビネットの前面に対向して取り付けられ、軸受を有するドアと、軸受けと軸受に挿入される軸を介して断熱箱体とドアを回転自在に接続するドアヒンジと、を備え、ドアヒンジは、断熱箱体の天面に取り付けられる固定部分と、固定部分から延設される板状の突出部と、を備え、突出部は、ドアの軸受けと嵌合する開口部を有し、突出部の周縁にフランジを立設したものである。
【発明の効果】
【０００８】
この発明に係る冷蔵庫は、断熱箱体と断熱箱体の天面に取り付けられる天板とを有するキャビネットと、キャビネットの前面に対向して取り付けられ、軸受を有するドアと、軸受けと軸受に挿入される軸を介して断熱箱体とドアを回転自在に接続するドアヒンジと、を備え、ドアヒンジは、断熱箱体の天面に取り付けられる固定部分と、固定部分から延設される板状の突出部と、を備え、突出部は、ドアの軸受けと嵌合する開口部を有し、突出部の周縁にフランジを立設したので、ドアの大形化やドアポケットの収納容量拡大等の重量増に対応することが可能である。
【発明を実施するための最良の形態】
【０００９】
実施の形態１．
図１はこの発明の実施の形態１における冷蔵庫の斜視図、図２は同実施例によるドアヒンジ部の分解図１、図３は同実施例によるドアヒンジ部の縦断面図である。なお、本発明の実施の形態では１ドアの冷蔵庫で説明するが、冷凍庫、及び２ドア以上の冷蔵庫においても同様の形態で実施可能である。
図において、１は冷蔵庫のキャビネットであり、断熱箱体２と断熱箱体２の天面に取り付けた樹脂製の天板３により構成されている。断熱箱体２は鋼板製の外箱４と樹脂製の内箱５と外箱４と内箱５間に充填された断熱材６により構成されている。７はキャビネット１の前面に対向して取り付けられたドアであり、鋼板製の外板８と樹脂製の内板９と意匠性に優れた樹脂製の上ドアキャップ１０と下ドアキャップ１１と外板８と内板９と上ドアキャップ１０と下ドアキャップ１１間に充填された断熱材１２により構成されている。１３は断熱箱体２とドア７間を密閉シールするための外形矩形状のガスケットであり、内板９の外周に成形した溝（図示せず）に圧入して取り付けられる。
【００１０】
１４は断熱箱体２の天面にネジで取り付けられたドアヒンジであり、ドアヒンジ１４の前方に突出した突出部１４ａの先端に軸１４ｂに嵌合するような径を有する開口部２０を形成し、軸１４ｂを、上記開口部２０と、上ドアキャップ１０に設けられた凹部１０ａの下辺壁に形成された軸受け部１０ｂに嵌合された軸受１５に挿入している。
また、下ドアキャップ１１も上ドアキャップ１０と同様の構造とすることでドア７を開閉自由に支持している。なお、軸受１５はドアの大形化やドアポケットの収納容量拡大等の重量増による軸受け部１０ｂの変形、破壊を防止するため、耐衝撃性、耐磨耗性に優れたポリアミド系の材料（ＰＡ６等）を使用することを考慮して別部品としているが、耐衝撃性、耐磨耗性に問題なければ上ドアキャップ１０と一体にしてもよい。
【００１１】
このドアヒンジ１４の突出部１４ａは、ドア７の回転軌跡の逃がしとして切欠き形状が形成されているが、この突出部１４ａの周縁に略Ｌ字型フランジ１４ｃを立設し、絞り加工によって前記突出部の板面に垂直方向に一方の面が凸部で他方の面が凹部となる絞り形状である補強ビード１４ｄを設けることにより軸１４ｂに荷重がかかることによる突出部１４ａの変形を防止している。
また、上ドアキャップ１０の凹部１０ａには前面壁１０ｃが設けられており、上ドアキャップ１０の側面まで覆う上ドアキャップカバー１６を嵌合することによりドアヒンジ１４の突出部１４ａを覆っている。なお、１７はドアヒンジ１４の突出部１４ａを覆うヒンジカバーで、ドア開閉時の突出部１４ａの露出を防止している。
また、上ドアキャップ１０に段差を設けることで、取手として機能させることができ、且つ意匠性も向上する。
【００１２】
次に動作について説明する。
このように構成されたドア７においては、上ドアキャップカバー１６を嵌合構造としたことで、ドアヒンジ１４を上から挿入して軸受１５、もしくは上ドアキャップ１０の軸受け部１０ｂに嵌めることができるため、軸１４ｂの長さを制限無く伸ばすことができる。なお、この軸１４ｂの長さを軸受の長さ以上に伸ばすことにより、万一ドアヒンジ１４がドアの負荷に耐えきれず変形したとしても、ドア７が外れる危険性が回避できるため、安全上非常に有効な手段である。また、ドアヒンジ１４の形状も軸１４ｂの挿入代を考慮する必要がないため、略Ｌ字型フランジ１４ｃや補強ビード１４ｄを設けることが可能となり、ドアの大形化やドアポケットの収納容量拡大等の重量増に対応した強固なドアヒンジ１４を取り付けることが可能となる。
さらにドアヒンジ１４は鋼板を用いるため、ドア開閉時に突出部１４ａが樹脂製の上ドアキャップ１０より露出した場合に見栄えが悪いが、ヒンジカバー１７を取り付けることにより意匠性に優れたドアヒンジ部を提供できる。
【００１３】
実施の形態２．
以上の実施の形態１では、ドアヒンジ１４を上ドアキャップ１０の前面壁１０ｃと上ドアキャップカバー１６で覆ったものであるが、次に上ドアキャップ１０に温度調節部１８を配設したものについて、実施の形態２で説明する。
図４は、この発明の実施の形態２によるドアヒンジ部の分解図である。
図において、１８は冷蔵庫の庫内温度等を任意に変更できる温度調節部でドア７の上ドアキャップ１０に配設されている。温度調節部１８に接続されるリード線１９は、ドアの温度調節部１８を制御する回路基板（図示せず）にその一端が接続され、中空状にしたドアヒンジ１４の軸１４ｂの中空部分を通り、突出部１４ａを介してその他端が断熱箱体２の本体基板に接続される。ドアヒンジ１４の突出部１４ａにはヒンジカバー１７が取り付けられており、その中にリード線１９を収納している。このため、ドアを開閉した場合でもリード線１９が露出せず、ヒンジカバー１７により絶縁できる。
以上のように構成しているため、ドアヒンジ１４の軸１４ｂを中空状にするだけで、意匠性を損なうことなく、安価に温度調節部１８を上ドアキャップ１０に配設でき、操作性に優れた冷蔵庫を提供できる。
【図面の簡単な説明】
【００１４】
【図１】この発明の実施の形態１における冷蔵庫の斜視図である。
【図２】この発明の実施の形態１におけるドアヒンジ部の分解図である。
【図３】この発明の実施の形態１におけるドアヒンジ部の縦断面図である。
【図４】この発明の実施の形態２におけるドアヒンジ部の分解図である。
【符号の説明】
【００１５】
１  キャビネット、２  断熱箱体、３  天板、４  外箱、５  内箱、６  断熱材、７  ドア、８  外板、９  内板、１０  上ドアキャップ、１０ａ  凹部、１０ｂ  軸受け部、１０ｃ  前面壁、１１  下ドアキャップ、１２  断熱材、１３  ガスケット、１４  ドアヒンジ、１４ａ  突出部、１４ｂ  軸、１４ｃ  略Ｌ字型フランジ、１４ｄ  補強ビード、１５  軸受、１６  上ドアキャップカバー、１７  ヒンジカバー、１８  温度調節部、１９  リード線、２０  開口部。
【図１】
2009103395.tif 000003
【図２】
2009103395.tif 000004
【図３】
2009103395.tif 000005
【図４】
2009103395.tif 000006